(57)【特許請求の範囲】
【請求項１】
ハウジングと、
前記ハウジングの開口からハウジング内にスライド可能に収納されるカップ支持板と、
前記ハウジングの開口縁に設けられた壁板と、
前記カップ支持板の端部から立設された蓋体と、
前記蓋体又は壁板に一端が軸支され他端が前記カップ支持板の前記ハウジングへの収納過程で前記壁板又は蓋体に当接して回動し壁板と蓋体との間に収容されるカップ保持板と、
前記カップ保持板を前記カップ支持板と略平行となるように付勢する付勢手段と、
前記ハウジングと前記カップ支持板との間に配設されカップ支持板の収納方向への押圧操作によってカップ支持板を収納状態で係止し又は係止解除するラッチ手段と、
を有することを特徴とする容器ホルダ。
【請求項２】
前記壁板又は蓋体に突設された係合板と、
前記蓋体又は壁板に設けられ前記カップ保持板の前記ハウジングへの収納状態で前記係合板と係合する係合孔と、
を有することを特徴とする請求項１に記載の容器ホルダ。
【請求項３】
前記カップ保持板の他端を前記カップ支持板側に湾曲して前記壁板と当接してカップ保持板を回動させる爪片を構成したことを特徴とする請求項１又は請求項２に記載の容器ホルダ。
【請求項４】
前記係合板の裏面に下方へ傾斜するリブを設け、
前記カップ保持板の上面に一端が傾斜し前記リブに当接してカップ保持板を回動させる突壁を形成したことを特徴とする請求項２又は請求項３に記載の容器ホルダ。
【請求項５】
前記カップ支持板にカップが載置される窪みが形成され、
前記係合板の側縁が前記窪みに載置されたカップの側面に接するように円弧状に加工されていることを特徴とする請求項２〜請求項４のいずれかに記載の容器ホルダ。
【請求項６】
前記ハウジングと前記カップ支持板との間に配設されカップ支持板をハウジングからせり出す方向へ付勢する押し出し手段を有することを特徴とする請求項１〜請求項５のいずれかに記載の容器ホルダ。
【発明の詳細な説明】
【０００１】
【発明の属する技術分野】
本発明は、飲物容器等を安定して保持するための容器ホルダに関する。
【０００２】
【従来の技術】
従来より自動車の車室内等に取り付けられる容器ホルダとして、図８に示す容器ホルダ１００がある（実公平６−４９４７８号公報参照）。
【０００３】
この容器ホルダ１００は、車室内に取り付けられるハウジング１０２と、ハウジング１０２にスライド可能に収納され、カップ１０４が差し込まれる孔１０６が形成されたカップ支持板１０８、及びカップ支持板１０８の底面に一端が軸支されたカップ保持板１１０とを有している。カップ保持板１１０の他端には円弧状の切欠１１２が形成されている。
【０００４】
カップ支持板１０８とカップ保持板１１０との間には図示しないコイルばねが介在され、カップ保持板１１０が矢印ハ方向に付勢されている。カップ１０４を孔１０６に差し込むと、カップ１０４の底部に押されてカップ保持板１１０が矢印ハと反対方向に回動しカップ１０４の側面が切欠１１２と孔１０６との間に挟まれるようにして保持される。
【０００５】
しかし、この容器ホルダ１００では、カップ支持板１０８がハウジング１０２内に収納されたとき、カップ保持板１１０はフリーの状態となるため、走行中の振動等によってガタつくことがあった。
【０００６】
また、カップ支持板１０８を引き出すときに、カップ保持板１１０の他端がハウジング１０２の開口縁に当たって引き出せないおそれがある。
【０００７】
さらに、この容器ホルダ１００は缶の底面を支持するような構造ではないため、例えば孔１０６より小径の円柱状の缶が孔１０６に差し込まれるとずり落ちてしまう。
【０００８】
【発明が解決しようとする課題】
本発明は上記事実を考慮し、カップ保持板がハウジングに収納された状態でガタつくことがなく、また、スムーズに収納、引き出しができ、しかも異なる径のカップを保持することができる容器ホルダを得ることを目的とする。
【０００９】
【課題を解決するための手段】
請求項１の容器ホルダでは、ハウジングと、前記ハウジングの開口からハウジング内にスライド可能に収納されるカップ支持板と、前記ハウジングの開口縁に設けられた壁板と、前記カップ支持板の端部から立設された蓋体と、前記蓋体又は壁板に一端が軸支され他端が前記カップ支持板の前記ハウジングへの収納過程で前記壁板又は蓋体に当接して回動し壁板と蓋体との間に収容されるカップ保持板と、前記カップ保持板を前記カップ支持板と略平行となるように付勢する付勢手段と、前記ハウジングと前記カップ支持板との間に配設されカップ支持板の収納方向への押圧操作によってカップ支持板を収納状態で係止し又は係止解除するラッチ手段と、を有することを特徴としている。
【００１０】
すなわち、請求項１に記載の容器ホルダでは、カップ支持板がハウジングからせり出した状態でカップの底面を支持する。また、カップ保持板は付勢手段によってカップ支持板と略平行になるように付勢されるため、カップの側面を壁板又は蓋体とカップ保持板との間に挟んで保持する。これによってカップを安定して保持することができる。
【００１１】
カップ保持板は軸支された一端を中心にして回動するため、カップ保持板の他端と壁板又は蓋体との間隔は、保持されるカップの径に合わせて変化する。すなわち、カップごとに径が異なっていても、カップの側面を保持することができる。
【００１２】
カップ支持板をハウジング内へ押し入れると、カップ保持板の他端が壁板又は蓋体に当接し、カップ保持板は一端を中心に回動する。さらにカップ支持板を押し入れると、カップ支持板はラッチ手段によってハウジングに係止される。このとき、カップ保持板は壁板と蓋体との間に収容され、カップ保持板の他端が壁板又は蓋体に当接するため、ガタつかない。
【００１３】
また、カップ支持板がハウジング内に収納されたとき、カップ保持板は壁板と蓋体との間にあり、ハウジング内に収納されない。このため、カップ支持板がハウジングからせり出すときに、カップ保持板がハウジングの開口縁に当たってせり出しが妨げられることがない。
【００１４】
この状態で蓋体を押すと、ラッチ手段の係止状態が解除され、カップ支持板はハウジングからせり出し可能となる。ここで、せり出しの前半では付勢手段の付勢力によってカップ保持板の他端が壁板又は蓋体を押しカップ支持板を押し出すため、軽い引き出し力でカップ支持板を引き出すことができる。
【００１５】
請求項２の容器ホルダでは、前記壁板又は蓋体に突設された係合板と、前記蓋体又は壁板に設けられ前記カップ保持板の前記ハウジングへの収納状態で前記係合板と係合する係合孔と、を有することを特徴としている。
【００１６】
すなわち、請求項２に記載の容器ホルダでは、カップ支持板がハウジングに収納された状態で、壁板又は蓋体に突設された係合板が、蓋体又は壁板に設けられた係合孔に係合する。これによって、カップ支持板の収納状態で蓋体に上下方向の力が作用しても、この力をカップ支持板と係合板とで分散して受けるので、容器ホルダ全体の強度が増す。
【００１７】
請求項３の容器ホルダでは、前記カップ保持板の他端を前記カップ支持板側に湾曲して前記壁板と当接してカップ保持板を回動させる爪片を構成したことを特徴としている。
【００１８】
すなわち、カップ支持板がハウジングに収納される方向へ押されると、カップ保持板の爪片が壁板又は蓋体に当接する。さらに押すと、爪片はカップ支持板側へ湾曲しているので、爪片が壁板又は蓋体に沿って下方に案内され、カップ保持板が下方に回動する。
【００１９】
請求項４の容器ホルダでは、前記係合板の裏面に下方へ傾斜するリブを設け、前記カップ保持板の上面に一端が傾斜し前記リブに当接してカップ保持板を回動させる突壁を形成したことを特徴としている。
【００２０】
すなわち、カップ支持板がハウジングに収納される方向へ押されると、カップ保持板の突壁の傾斜部分とリブの傾斜部分とが当接する。さらに押すと、突壁の傾斜部分がリブの傾斜部分に沿ってスムーズに下方へ案内され、カップ保持板を下方へ回動させる。
【００２１】
請求項５の容器ホルダでは、前記カップ支持板にカップが載置される窪みが形成され、前記係合板の側縁が前記窪みに載置されたカップの側面に接するように円弧状に加工されていることを特徴としている。
【００２２】
すなわち、カップの底部は窪みにはまり込んで載置され、横揺れ等が生じてもカップは安定して保持される。また、係止板の側縁は円弧状に加工されており、カップの側面に接する。これにより、カップは係止板の側縁とカップ保持板に挟まれるので、倒れることがない。
【００２３】
請求項６の容器ホルダでは、前記ハウジングと前記カップ支持板との間に配設されカップ支持板をハウジングからせり出す方向へ付勢する押し出し手段を有することを特徴としている。
【００２４】
すなわち、カップ支持板がラッチ手段によってハウジングに係止された状態で蓋体を押すと、係止状態が解除され、ハウジングからせり出し可能となったカップ支持板は、押し出し手段によってハウジングから押し出される。このため、特にカップ支持板をハウジングから引き出さなくとも、カップ支持板は自動的にハウジングからせり出す。
【００２５】
【発明の実施の形態】
図１及び図２に示すように、本発明の実施の形態にかかる容器ホルダ１０は、車室内のコンソールボックスにはめ込まれるハウジング１２と、このハウジング１２内にスライド可能に収納されるカップ支持板１４とを有している。
【００２６】
ハウジング１２は下ケース１２Ａと上ケース１２Ｂとで構成されている。下ケース１２Ａの側壁１２Ｄの外側にはねじ孔１２Ｅと爪１２Ｆとが形成されている。一方、上ケース１２Ｂにはねじ孔１２Ｅに対応する孔１２Ｇと、爪１２Ｆに係止する係止片１２Ｈとが形成されている。爪１２Ｆを係止片１２Ｈに係合させ、孔１２Ｇ及びねじ孔１２Ｅにねじを挿通して、上ケース１２Ｂが下ケース１２Ａに固定される。
【００２７】
下ケース１２Ａの側壁１２Ｄの内側には、レール１２Ｉが形成されている。一方、カップ支持板１４の側面には、レール１２Ｉに対応する溝１４Ａが形成されている。レール１２Ｉは溝１４Ａと係合し、カップ支持板１４をスムーズにスライドさせるようになっている。
【００２８】
側壁１２Ｄの前面側は上方へ立ち上げられており、この立ち上げ部に壁板３０が掛け渡されている。この壁板３０の下端と下ケース１２Ａの底壁とで開口１２Ｃが構成されており、この開口１２Ｃを通ってカップ支持板１４がハウジング１２内へ出し入れされる。
【００２９】
一方、カップ支持板１４には、窪み１６が形成されている。窪み１６は円形部分１６Ａと、この円形部分１６Ａからカップ支持板のスライド方向前後に張り出した方形部分１６Ｂとからなっている。円形部分１６Ａは円柱状の３５０ｍｌ缶と同径とされている。また、前後の方形部分１６Ｂによって略方形の紙容器の底面と同一サイズの長方形が形成されている。
【００３０】
カップ支持板１４には、ラッチ手段を構成するスイングカム１８が揺動可能に取り付けられている。一方、下ケース１２Ａの底壁には、ピン２０が突設されている。スイングカム１８の裏面には、図示しないカム溝が形成されており、カップ支持板１４がハウジング１２内に収納されると、ピン２０がカム溝内に入り込み、スイングカム１８が揺動しつつピン２０がカム溝内を移動するようになっている。カップ支持板１４が最も奥まで押し入れられたとき、ピン２０はカム溝に係止され、カップ支持板１４がハウジング１２内に収納された状態が維持される。さらに、カップ支持板１４を押すと、スイングカム１８が揺動し、ピン２０がカム溝から離れ、係止状態が解除される。
【００３１】
下ケース１２Ａの底壁には、ピン２０から開口１２Ｃに向けて、溝２１が形成されており、溝２１の開口１２Ｃ側は端壁２１Ａによって閉止されている。一方、カップ支持板１４の裏面には図示しない抜け止め突起が形成されている。カップ支持板１４の出し入れに伴って抜け止め突起は溝２１内を移動し、開口１２Ｃ側で端壁２１Ａに当たって移動が阻止される。これによって、カップ支持板１４のハウジング１２からの抜け落ちが阻止されている。
【００３２】
さらに、カップ支持板１４とハウジング１２との間には、押し出し手段としての定圧ばね２２が設けられている。定圧ばね２２の巻取ドラム２２Ｂの軸２２Ａは、壁板３０から張出した軸受け２３に支持されている。定圧ばね２２の端部はカップ支持板１４の係止口２７に固定されている。これによって、定圧ばね２２は収納状態のカップ支持板１４をハウジング１２からせり出す方向に付勢している。
【００３３】
また、下ケース１２Ａの底壁には、カップ支持板１４のスライド方向に沿って凹溝２５が形成されており、凹溝２５の側部にはラック２４が形成されている。一方カップ支持板１４には、このラック２４とかみ合うダンパギヤ２６が取り付けられている。これにより、定圧ばね２２の付勢力によるカップ支持板１４の押し出しに対して、ダンパギヤ２６がカップ支持板１４のせり出し速度を制限している。
【００３４】
カップ支持板１４の端部からは、壁板３０と平行に蓋体２８が立設されている。蓋体２８の上部には、所定の間隔をおいて軸支溝３６が形成されており、軸支溝３６にカップ保持板４０の軸３８が上方から挿通されて、長方形状のカップ保持板４０が軸支される。
【００３５】
軸３８は、カップ支持板４０の板部４１の一端から互いに離間して突出する方向へ突出している。軸３８の間隔は軸支溝３６の間隔と等しくなっており、軸３８を軸支溝３６に挿通可能となっている。
【００３６】
軸３８には、コイルばね４２が挿通され、コイルばね４２の一端は蓋体２８に、他端はカップ保持板４０に固定されている。これにより、コイルばね４２は、カップ保持板４０を矢印イ方向（図５参照）に回動するように付勢している。
【００３７】
カップ支持板４０の他端には、下方へ円弧状に湾曲した爪片４４が形成されている。また、カップ支持板４０の上面には、カップ保持板４０の一端の近傍から他端に向けてリブ４６が形成されており、リブ４６の他端側は下方へ傾斜している。
【００３８】
カップ保持板４０の爪片４４に挟まれた中央部には、円弧状に緩やかに切りかけられた切欠４８が形成されており、カップ支持板１４に支持されたカップの側面を保持するようになっている。
【００３９】
図６に示すように、蓋体２８の前面には、リッド３２が取付けられている。リッド３２の上端には、内側に向かって突壁３３が形成されており（図７参照）、コイルばね４２の付勢力によるカップ保持板４０の矢印イ方向への回動は、カップ保持板４０が突壁３３に当たることにより制限され、カップ保持板４０はカップ支持板１４と平行になる。
【００４０】
壁板３０の前面には、コンソールボックスの一部を構成するエスカッション３４が取り付けられている。エスカッション３４には、カップ支持板１４が出入りする開口２９が形成されている。また、カップ支持板１４がハウジング１２に収納された状態でリッド３２の周囲を取り囲むようになっている。
【００４１】
壁板３０の上部からは、蓋体２８に向かって壁板３０と直角に、中央に係合板５０、両側に係合板５２が突設されている。一方、リッド３２の突壁３３には、係合孔５６、５８が設けられている。カップ支持板１４がハウジング１２の収納された状態で、係合板５０、５２は係合孔５６、５８と係合するようになっている。
【００４２】
係合板５０、５２の裏面には、先端から壁板３０に向けて傾斜したリブ５４が形成されており、カップ支持板１４をハウジング１２内に押し入れる途中で、カップ保持板４０に形成されたリブ４６の傾斜面４６Ａが、係合板５０、５２のリブ５４の傾斜面に当たるようになっている。
【００４３】
係合板５０の先端の両側は、窪み１６の円形部分１６Ａに，この円形部分１６Ａと同径の容器（例えば３５０ｍｌ缶）が載置されたときにカップの側面に接するように、先端の両角部が円弧状に切りかけられて、切欠５０Ａとなっている。同様に係合板５２の先端の角部の内側も、窪み１６に載置された容器の側面に接するように円弧状に切りかけられて、切欠５２Ａとなっている。
【００４４】
また、係合板５０の両側辺及び係合板５２の内側辺は、容器ホルダ１０を上から見て窪み１６の長方形部分を構成する方形部分１６Ｂと一致して、長方形部分１６Ｂに略方形の紙容器等が載置されたときにその略方形の紙容器の側面に接するようになっている。
【００４５】
なお、ピン２０が端壁２１Ａに当たってカップ支持板１４のせり出しが止められた位置で、切欠５０Ａ、５２Ａと窪み１６の円周の一部とが上方から見て一致するようになっている。
【００４６】
次に本実施の形態にかかる容器ホルダ１０の作用を説明する。
容器ホルダ１０を使用しないときには、図３に示すように、カップ支持板１４はハウジング１２内に収納されている。このとき、カップ保持板４０は蓋体２８と壁板３０との間に挟まれるようにして収容され、カップ保持板４０のリブ４６がコイルばね４２に付勢され壁板３０に当たっている。従って、この状態でカップ保持板４０がガタつくことがない。
【００４７】
このとき、係合板５０、５２は係合孔５６、５８に係合されている。この状態でリッド３２に上下方向の強い力が加わっても、この力を係合板５０、５２とカップ支持板１４とで分散して受けることになるためカップ支持板１４の強度が増し、カップ支持板１４が折れてしまうことがない。
【００４８】
また、このときピン２０はスイングカム１８のカム溝を係止しており、カップ支持板１４は収納状態に維持されている。
【００４９】
ここで、リッド３２をカップ支持板１４の収納方向に向かって押すと、スイングカム１８が揺動してピン２０がカム溝から離れ、係止状態が解除されてカップ支持板１４はハウジングからせり出し可能となる。ここで、カップ保持板４０はハウジング１２に収納されていないため、カップ保持板４０がせり出しの途中でハウジング１２の開口縁に当たってせり出しが妨げられることがない。
【００５０】
カップ支持板１４は、定圧ばね２２の付勢力によってハウジング１２からせり出す。また、カップ保持板４０はコイルばね４２によって矢印イ方向に付勢されているため、図４に示すように、カップ支持板１４のせり出しの前半ではカップ保持板４０の爪片４４が壁板３０に当たりつつ回動し、カップ支持板１４を押し出す。このため、特にカップ支持板１４を引き出さなくても、カップ支持板１４は自動的にハウジングからせり出す。
【００５１】
次に、カップ支持板１４がハウジング１２から押し出される途中で、図５に示すように、リブ４６の傾斜面４６Ａがリブ５４の傾斜面に当たりつつ回動する。さらにカップ支持板１４がハウジング１２から押し出され、爪片４４は壁板３０から離れる。このときカップ保持板４０は突壁３３に当たって矢印イ方向への回動を制限され、カップ支持板１４と平行となる。
【００５２】
カップ支持板１４のスライドは、窪み１６の円形部分１６Ａと係合板５０、５２の切欠５０Ａ、５２Ａとが上方から見て一致した位置で、カップ支持板２４の裏面の抜け止め突起が溝２１の端壁２１Ａに当たって制限される。この状態で、容器を保持可能となる。
【００５３】
容器を保持する場合には、カップ支持板１４が容器の底面を支持するため、缶等の円柱状の容器を支持する場合でも、容器がずり落ちることがない。
【００５４】
図６に示すように、例えば３５０ｍｌ缶７０を保持する場合、窪み１６の円形部分１６Ａは３５０ｍｌ缶７０と同径であるため、３５０ｍｌ缶７０は窪み１６にぴったりはまり込んで載置される。このため、走行中の振動等で容器ホルダ１０が横揺れした場合でも、カップは安定して載置される。
【００５５】
このとき、カップ保持板４０はコイルばね４２の付勢力に抗して回動されて図６に示す状態となっており、爪片４４及び係合板５０、５２の切欠５０Ａ、５２Ａが３５０ｍｌ缶７０の側面に接して、３５０ｍｌ缶７０を挟持している。このため、３５０ｍｌ缶７０は倒れることがない。
【００５６】
図７に示すように、２５０ｍｌ缶７２を保持する場合には、カップ保持板４０は３５０ｍｌ缶７０を保持する場合と比較して、矢印イ方向に回動し、ほぼカップ支持板１４と平行となっている。この場合でも、コイルばね４２の付勢力によって、２５０ｍｌ缶７２は係合板５０、５２の切欠５０Ａ、５２Ａとカップ保持板４０の切欠４８（図２参照）及び爪片４４との間に挟まれるため、倒れることがない。
【００５７】
略方形の紙容器を保持する場合には、略方形の紙容器の底面が窪み１６の方形部分１６Ｂによって構成される長方形部分にぴったりはまり込む。このとき、カップ保持板４０は蓋体２８とほぼ平行となる（図６参照）。このとき、カップ保持板４０のリブ４６が略方形の紙容器を両側から挟み込むようにして接する。このため、略方形の紙容器は倒れることがない。
【００５８】
このように、カップ保持板４０は容器の底面に押されて、一端を中心にして回動するため、缶の径が異なる場合や略方形の紙容器を保持する場合でも、カップ保持板４０が容器の側面に接して容器を確実に保持することができる。
【００５９】
定圧ばね２２の付勢力に抗して、リッド３２を収納方向に押せば、図５に示すように、スライドの途中で、リブ４６の傾斜面４６Ａがリブ５４の傾斜面に接し、カップ保持板４０が矢印イと反対の方向に回動される。次いで爪片４４がリブ５４に接するが、リブ５４は下側に傾斜しているので、爪片４４はリブ５４に沿って案内されて、カップ保持板４０がコイルばね４２の付勢力に抗して矢印イと反対方向に回動する。また、爪片４４が湾曲しているので、カップ保持板４０はスムーズに回動する。
【００６０】
次いで、図４に示すように、爪片４４が壁板３０に接するが、爪片４４が湾曲しているため、爪片４４は壁板３０に沿って下方に移動し、さらにカップ保持板４０は回動する。
【００６１】
カップ支持板１４が収納位置まで押し込まれれば、ピン２０がスイングカム１８を係止する。このとき、図３に示すように、ハウジング１２内にカップ支持板１４が収納される。
【００６２】
なお、本実施の形態においては、蓋体２８側にカップ保持板４０を軸支し、且つ係合孔５６、５８を設け、壁板３０側に係合板５０、５２を突設した場合を示したが、逆に、蓋体２８側に係合板５０、５２を突設し、壁板３０側にカップ保持板４０を軸支し、且つ係合孔５６、５８を設けてもよい。
【００６３】
また、カップ支持板１４の上面にリブ４６が形成されている場合を示したが、必ずしもリブ４６を形成しなくともよい。
【００６４】
【発明の効果】
本発明は上記構成としたので、カップ支持板がハウジングに収納された状態でカップ保持板がガタつくことがなく、また、スムーズに収納、引き出しができ、しかも異なる径のカップを保持することができる。
【図面の簡単な説明】
【図１】本発明の一実施の形態に係る容器ホルダの分解斜視図である。
【図２】本発明の一実施の形態に係る容器ホルダにおいて、カップ支持板がハウジングからせり出す途中の状態を示す平面図である。
【図３】本発明の一実施の形態に係る容器ホルダにおいて、カップ支持板がハウジングに収納された状態を示す断面図である。
【図４】本発明の一実施の形態に係る容器ホルダにおいて、カップ支持板がハウジングからせり出す途中の状態を示す断面図である。
【図５】本発明の一実施の形態に係る容器ホルダにおいて、カップ支持板がハウジングからせり出す途中の状態を示す断面図である。
【図６】本発明の一実施の形態に係る容器ホルダにおいて、カップ支持板が容器を保持している状態を示す断面図である。
【図７】本発明の一実施の形態に係る容器ホルダにおいて、カップ支持板が容器を保持している状態を示す断面図である。
【図８】従来の容器ホルダの斜視図である。
【符号の説明】
１０      容器ホルダ
１２      ハウジング
１２Ｃ    開口
１４      カップ支持板
１６      窪み
２２      巻きばね（押し出し手段）
２８      蓋板（蓋体）
３０      壁板
３２      内カバー（蓋板）
４０      カップ保持板
４２      コイルばね（付勢手段）
４４      爪片
４８      切欠
５０      係合板
５２      係合板
５４      リブ
５６      係合孔
５８      係合孔
【図１】
0003553229.tif 000002
【図２】
0003553229.tif 000003
【図３】
0003553229.tif 000004
【図４】
0003553229.tif 000005
【図５】
0003553229.tif 000006
【図６】
0003553229.tif 000007
【図７】
0003553229.tif 000008
【図８】
0003553229.tif 000009